(57)【要約】【課題】ＮＡＴ機能を備えたルータを介して接続されたプライベートＩＰアドレス空間における通信端末において、プライベートＩＰアドレス空間に割り当てられたグローバルＩＰアドレスを汎用的な手段により特定する。【解決手段】メール作成手段３３により通信端末自身宛のメールを作成し、プライベートＩＰアドレス空間外にあるメールサーバに対してメール発信手段３４よりメールを発信する。メール受信手段３５により受信したメールから受信メール選別手段３６で通信端末自身が発信したメールを特定し、ＩＰアドレス抽出手段３７でそのメールのヘッダ情報を解析し、プライベートＩＰアドレス空間に割り当てられたグローバルＩＰアドレス情報を抽出する。抽出したグローバルＩＰアドレス情報を含む、所定の端末宛のメールをメール作成手段３３で作成し、メール発信手段３４により発信する。【選択図】　図２
2004015685.tif 000002
【特許請求の範囲】
【請求項１】
ネットワークアドレス変換機能を有するルータと接続されるプライベートＩＰアドレス空間に設置される通信端末であって、
前記プライベートＩＰアドレス空間外に設置されたインターネットメールサーバを介してインターネットメールを送信するメール発信手段と、
前記インターネットメールサーバを介してインターネットメールを受信するメール受信手段と、
前記メール受信手段にて受信したインターネットメールのヘッダ情報を解析し、ＩＰアドレス情報を抽出するＩＰアドレス抽出手段とを備えた通信端末。
【請求項２】
前記ＩＰアドレス抽出手段は、インターネットメールのヘッダ情報に含まれるＲｅｃｅｉｖｅｄ項に含まれるＩＰアドレス情報を抽出することにより、インターネットメールを発信した端末のＩＰアドレスを特定することを特徴とする請求項１記載の通信端末。
【請求項３】
前記メール発信手段は、通信端末自身を宛先としたインターネットメールを発信し、前記ＩＰアドレス抽出手段は、前記メール受信手段により受信した通信端末自身宛のインターネットメールのヘッダ情報からＩＰアドレス情報を抽出することにより、通信端末自身に係るＩＰアドレス情報を特定することを特徴とする請求項１記載の通信端末。
【請求項４】
前記メール発信手段は、前記ＩＰアドレス抽出手段にて抽出し特定した通信端末自身に係るＩＰアドレス情報を含むインターネットメールを、前記プライベートＩＰアドレス空間外に設置された所定の端末宛に発信することを特徴とする請求項３記載の通信端末。
【請求項５】
前記ＩＰアドレス抽出手段は、前記ルータがネットワークアドレス変換するための、プライベートＩＰアドレス空間に設定されたグローバルＩＰアドレスをＩＰアドレス情報として抽出することを特徴とする請求項３記載の通信端末。
【請求項６】
ネットワークアドレス変換機能を有するルータと接続されるプライベートＩＰアドレス空間に設置される通信端末において、前記プライベートＩＰアドレス空間に対して設定されたグローバルＩＰアドレスを特定する方法であって、
前記プライベートＩＰアドレス空間外に設置されたインターネットメールサーバを介して前記通信端末宛のインターネットメールを送信するステップと、
前記インターネットメールサーバを介して前記インターネットメールを受信するステップと、
受信した前記インターネットメールのヘッダ情報を解析し、通信端末自身に係るＩＰアドレス情報を抽出するステップとを有するグローバルＩＰアドレス特定方法。
【請求項７】
前記ＩＰアドレス情報は、インターネットメールのヘッダ情報に含まれるＲｅｃｅｉｖｅｄ項に含まれるＩＰアドレス情報を抽出することにより、通信端末が設置されるプライベートＩＰアドレス空間に対して設定されたグローバルＩＰアドレスを特定することを特徴とする請求項６記載のグローバルＩＰアドレス特定方法。
【請求項８】
前記特定したグローバルＩＰアドレスの情報を含むインターネットメールを、前記プライベートＩＰアドレス空間外に設置された所定の端末宛に発信するステップを有することを特徴とする請求項７記載のグローバルＩＰアドレス特定方法。
【発明の詳細な説明】
【０００１】
【発明の属する技術分野】
本発明は、ＴＣＰ／ＩＰに基づくネットワーク通信を利用した通信端末及びこれに係るグローバルＩＰアドレス特定方法に関するものである。
【０００２】
【従来の技術】
近年、インターネットの普及とともに、ＡＤＳＬ（ａｓｙｍｍｅｔｒｉｃ　ｄｉｇｉｔａｌ　ｓｕｂｓｃｒｉｂｅｒ　ｌｉｎｅ）やケーブルＴＶなどインターネットへの安価で高速な常時接続環境が充実してきている。このような背景のもと、家庭内においてもＴＣＰ／ＩＰ（ｔｒａｎｓｍｉｓｓｉｏｎ　ｃｏｎｔｒｏｌ　ｐｒｏｔｏｃｏｌ／ｉｎｔｅｒｎｅｔ　ｐｒｏｔｏｃｏｌ）に基づくネットワーク通信が可能な機器が増え、家庭内においてもネットワークを構築する必要性が出てきている。このような家庭内のネットワーク環境では、家庭内にプライベートなＩＰアドレス空間（以下、プライベートネットワークとする）を構成し、グローバルなＩＰアドレス空間であるインターネット（以下、グローバルネットワークとする）と接続して相互に通信を行う機会も急速に増えてきている。
【０００３】
以下にプライベートネットワークとグローバルネットワーク間の通信について説明する。
【０００４】
図４は、プライベートネットワークとグローバルネットワークを接続して通信を行う場合の構成を示すものである。図４において、１０はインターネットなどグローバルＩＰアドレス空間であるグローバルネットワークであり、１１はグローバルネットワーク１０上に設置された通信端末である。１２はプライベートＩＰアドレス空間であるプライベートネットワークであり、１３及び１７はプライベートネットワーク１２上に設置された通信端末である。１４はプライベートネットワークからグローバルネットワークへの接続点となるインターネット・サービス・プロバイダ（以下、ＩＳＰと略す）である。１５はＩＳＰ１４からグローバルＩＰアドレスを取得するグローバルＩＰアドレス取得機器である。グローバルＩＰアドレス取得機器１５は、ＩＰＳ１４との接続形態により異なり、例えば、ＡＤＳＬ接続の場合はＡＤＳＬモデム、ケーブルＴＶ接続の場合は専用の接続機器（ケーブルＴＶ用モデム）となる。また、グローバルＩＰアドレス取得機器１５は、ＩＰＳ１４との間で通信が確立された時点で、自動的に与えられるグローバルＩＰアドレスを取得するため、通信が確立される毎に異なるグローバルＩＰアドレスとなる場合が多い。
【０００５】
１６はグローバルＩＰアドレス取得機器１５がＩＳＰ１４から取得したグローバルＩＰアドレスと、プライベートネットワーク上の通信端末１３，１７に割り当てられたプライベートＩＰアドレスとの相互変換を行うＮＡＴ（Ｎｅｔｗｏｒｋ　Ａｄｄｒｅｓｓ　Ｔｒａｎｓｌａｔｏｒ）機能を備えたルータである。ＮＡＴ機能は、一般にＲＦＣ（ｒｅｑｕｅｓｔ　ｆｏｒ　ｃｏｍｍｅｎｔｓ）１６３１として知られている。
【０００６】
以上のように構成されたプライベートネットワークとグローバルネットワークについて、以下その間での通信動作について説明する。
【０００７】
まず、グローバルＩＰアドレス取得機器１５とＩＰＳ１４の間で通信が確立した時点でグローバルＩＰアドレス取得機器１５はＩＰＳ１４から１つのグローバルＩＰアドレスを取得する。プライベートネットワーク１２に設置された通信端末１３からインターネット１０に設置された通信端末１１へ通信を行う場合、通信端末１３にはプライベートＩＰアドレスが割り振られているため、通信端末１３から発せられるＴＣＰ／ＩＰのパケットは、一度、ルータ１６において、その送り元ＩＰアドレスがプライベートＩＰアドレスからグローバルＩＰアドレス取得機器１５が取得したグローバルＩＰアドレスに変換され、ＩＰＳ１４を通してグローバルネットワーク１０に設置された通信端末１１まで到達する。
【０００８】
一方、グローバルネットワーク１０に設置された通信端末１１からプライベートネットワーク１２に設置された通信端末１３に通信を行う場合、グローバルＩＰアドレス取得機器１５が取得しているグローバルＩＰアドレスがプライベートネットワーク１２に設置された通信端末１３へ向けたＴＣＰ／ＩＰパケットの送り先であることを事前に通信端末１１に知らせておき、通信端末１１はグローバルＩＰアドレス取得機器１５が取得しているグローバルＩＰアドレスに向けＴＣＰ／ＩＰパケットを発し、グローバルＩＰアドレス取得機器１５へ届いたＴＣＰ／ＩＰパケットは更にその後のルータ１６により送り先ＩＰアドレスをグローバルＩＰアドレス取得機器１５のグローバルＩＰアドレスから通信端末１３のプライベートＩＰアドレスに変換され、プライベートネットワーク１２に設置された通信端末１３まで到達する。
【０００９】
このように、家庭内のプライベートネットワーク１２において、複数の通信端末が存在する場合でも、１つのグローバルＩＰアドレスの取得で、通信端末１３は、グローバルネットワーク１０と接続し、通信端末１１とのネットワーク通信を実現することができる。
【００１０】
【発明が解決しようとする課題】
上記従来のネットワーク通信の環境では、グローバルネットワーク１０に設置された通信端末１１からプライベートネットワーク１２に設置された通信端末１３へ通信する場合に不可欠であるグローバルＩＰアドレス取得機器１５が取得しているグローバルＩＰアドレスを汎用的に特定できる手段が無く、またグローバルＩＰアドレス取得機器１５が取得しているグローバルＩＰアドレスをグローバルネットワーク１０に設置された通信端末１１に汎用的に通知する手段も無いため、グローバルネットワーク１０に設置された通信端末１１からプライベートネットワーク１２に設置された通信端末１３へは容易に通信を開始することができないという問題点を有していた。
【００１１】
本発明は上記従来の問題点を解決するもので、プライベートネットワーク１２に設置された通信端末が、グローバルＩＰアドレス取得機器１５で取得しているグローバルＩＰアドレスを汎用的な手段で特定し、プライベートネットワーク１２に設置された通信端末（自己）へ向けたＴＣＰ／ＩＰパケットの送り先としてグローバルネットワーク１０に設置された通信端末に汎用的な手段で知らせることで、グローバルネットワーク１０に設置された通信端末からプライベートネットワークに設置された通信端末へのＴＣＰ／ＩＰに基づく通信を容易に実現できる通信端末及びこれに係るグローバルＩＰアドレス特定方法を提供することを目的とする。
【００１２】
【課題を解決するための手段】
この目的を達成するために本発明の通信端末は、ネットワークアドレス変換機能を有するルータと接続されるプライベートＩＰアドレス空間に設置される通信端末であって、プライベートＩＰアドレス空間外に設置されたインターネットメールサーバを介してインターネットメールを送信するメール発信手段と、インターネットメールサーバを介してインターネットメールを受信するメール受信手段と、メール受信手段にて受信したインターネットメールのヘッダ情報を解析し、ＩＰアドレス情報を抽出するＩＰアドレス抽出手段とを備えたものである。
【００１３】
この構成によって、プライベートＩＰアドレス空間に設置された通信端末が、プライベートＩＰアドレス空間外に設置されたインターネットメールサーバを介して送受信するインターネットメールから所望のＩＰアドレス情報を抽出することができる。
【００１４】
【発明の実施の形態】
本発明の第１の発明は、ネットワークアドレス変換機能を有するルータと接続されるプライベートＩＰアドレス空間に設置される通信端末であって、前記プライベートＩＰアドレス空間外に設置されたインターネットメールサーバを介してインターネットメールを送信するメール発信手段と、前記インターネットメールサーバを介してインターネットメールを受信するメール受信手段と、前記メール受信手段にて受信したインターネットメールのヘッダ情報を解析し、ＩＰアドレス情報を抽出するＩＰアドレス抽出手段とを備えたものであり、受信したインターネットメールのヘッダ情報を解析しＩＰアドレス情報を抽出することにより、ネットワーク経路上の機器のＩＰアドレス情報を特定することができるという作用を有する。
【００１５】
また、本発明の第２の発明は、上記第１の発明において、前記ＩＰアドレス抽出手段は、インターネットメールのヘッダ情報に含まれるＲｅｃｅｉｖｅｄ項に含まれるＩＰアドレス情報を抽出することにより、インターネットメールを発信した端末のＩＰアドレスを特定することを特徴とするものであり、簡便な手法により、受信したインターネットメールの発信元通信端末のＩＰアドレス情報を特定することができるという作用を有する。
【００１６】
また、本発明の第３の発明は、上記第１の発明において、前記メール発信手段は、通信端末自身を宛先としたインターネットメールを発信し、前記ＩＰアドレス抽出手段は、前記メール受信手段により受信した通信端末自身宛のインターネットメールのヘッダ情報からＩＰアドレス情報を抽出することにより、通信端末自身に係るＩＰアドレス情報を特定することを特徴とするものであり、受信したインターネットメールのヘッダ情報からＩＰアドレス情報を抽出することにより、通信端末自身に係るＩＰアドレス情報を特定できるという作用を有する。
【００１７】
また、本発明の第４の発明は、上記第３の発明において、前記メール発信手段は、前記ＩＰアドレス抽出手段にて抽出し特定した通信端末自身に係るＩＰアドレス情報を含むインターネットメールを、前記プライベートＩＰアドレス空間外に設置された所定の端末宛に発信することを特徴とするものであり、このインターネットメールをプライベートＩＰアドレス空間外（例えば、グローバルＩＰアドレス空間）に設置された所定の端末宛に発信することにより、プライベートＩＰアドレス空間上の通信端末自身に係るＩＰアドレス情報を、プライベートＩＰアドレス空間外の所定の端末に通知することができるという作用を有する。
【００１８】
また、本発明の第５の発明は、上記第３の発明において、前記ＩＰアドレス抽出手段は、前記ルータがネットワークアドレス変換するための、プライベートＩＰアドレス空間に設定されたグローバルＩＰアドレスをＩＰアドレス情報として抽出することを特徴とするものであり、通信端末自身が属するプライベートＩＰアドレス空間に割り当てられたグローバルＩＰアドレスをＩＰアドレス情報として特定することができるという作用を有する。
【００１９】
また、本発明の第６の発明は、ネットワークアドレス変換機能を有するルータと接続されるプライベートＩＰアドレス空間に設置される通信端末において、前記プライベートＩＰアドレス空間に設定されたグローバルＩＰアドレスを特定する方法であって、前記プライベートＩＰアドレス空間外に設置されたインターネットメールサーバを介して前記通信端末宛のインターネットメールを送信するステップと、前記インターネットメールサーバを介して前記インターネットメールを受信するステップと、受信した前記インターネットメールのヘッダ情報を解析し、通信端末自身に係るＩＰアドレス情報を抽出するステップとを有する方法であり、通信端末が属するプライベートＩＰアドレス空間に設定されたグローバルＩＰアドレスを特定できるという作用を有する。
【００２０】
また、本発明の第７の発明は、上記第６の発明において、前記ＩＰアドレス情報は、インターネットメールのヘッダ情報に含まれる最も古いＲｅｃｅｉｖｅｄ項に含まれるＩＰアドレス情報を抽出することにより、通信端末が設置されるプライベートＩＰアドレス空間に対して設定されたグローバルＩＰアドレスを特定することを特徴とする方法であり、簡便な手法により、通信端末が属するプライベートＩＰアドレス空間に設定されたグローバルＩＰアドレスを特定できるという作用を有する。
【００２１】
また、本発明の第８の発明は、上記第７の発明において、前記特定したグローバルＩＰアドレスの情報を含むインターネットメールを、前記プライベートＩＰアドレス空間外に設置された所定の端末宛に発信するステップを有することを特徴とする方法であり、このインターネットメールをプライベートＩＰアドレス空間外（例えば、グローバルＩＰアドレス空間）に設置された所定の端末宛に発信することにより、プライベートＩＰアドレス空間上の通信端末自身に係るＩＰアドレス情報を、プライベートＩＰアドレス空間外の所定の端末に通知することができるという作用を有する。
【００２２】
以下、本発明の実施の形態について、図面を用いて説明する。
【００２３】
（実施の形態１）
図１は、本発明の実施の形態１による通信端末が用いられるネットワーク環境を示す図であり、プライベートネットワークとグローバルネットワークとの間で通信を行う場合の構成を示すものである。
【００２４】
同図において、１０はグローバルネットワークであり、２１はグローバルネットワークに設置された通信端末であり、携帯電話端末、パーソナルコンピュータなどがある。２０はインターネットメールの配信を行うインターネットメールサーバ（以下、メールサーバと称す）であり、１２はプライベートネットワークであり、１７，２２はプライベートネットワーク上に設置された通信端末であり、本実施の形態による通信端末は、通信端末２２とする。１４はプライベートネットワーク１２からグローバルネットワーク１０への接続点となるＩＳＰである。１５はＩＳＰ１４からグローバルＩＰアドレスを取得するグローバルＩＰアドレス取得機器であり、ＡＤＳＬ接続の場合はＡＤＳＬモデム、ケーブルＴＶ接続の場合は専用の接続機器などとなる。１６はグローバルＩＰアドレス取得機器１５がＩＳＰ１４から取得したグローバルＩＰアドレスと、プライベートネットワーク１２上の通信端末１７，２２に割り当てられたプライベートＩＰアドレスの相互変換を行うＮＡＴ機能を備えたルータである。
【００２５】
図２は本発明の実施の形態１における上記通信端末２２の構成を示すものである。同図において、３１は制御部であり、専用に設計されたＩＣやソフトウエアにより処理をプログラムできるマイクロコンピュータで実現する。３２は自身のインターネットメールアドレスや通信端末２１のインターネットメールアドレスを記憶するメールアドレス記憶部、３３は制御部３１の指示に基づき所定のインターネットメールを作成するメール作成手段、３４は制御部３１からの指示でメール作成手段３３で作成されたインターネットメールを送信するメール発信手段、３５は制御部３１からの指示で、メールサーバ２０からインターネットメールを受信するメール受信手段、３６は受信したメールから自分自身が作成した自分宛のメールを選別する受信メール選別手段、３７は受信メール選別手段３６で選別したメールのヘッダ情報からＩＰアドレス情報を抽出するＩＰアドレス抽出手段である。
【００２６】
上記した通信端末２２の各構成要素は、専用に設計されたハードウェアや、マイクロコンピュータで動作可能なプログラムとして実現することができ、プログラムの場合は、マイクロコンピュータを構成するＣＰＵ（中央演算装置）やメモリ等のハードウェア資産を利用して通信端末２２として機能させることができる。従って、本実施の形態による通信端末２２は、少なくとも上記機能を有する機器であれば如何なるものであっても良い。
【００２７】
以上のように構成された本実施の形態による通信端末について、図１〜図３を用いてその動作を説明する。図３は、本実施の形態による通信端末の動作を説明するためのフローチャートであり、通信端末２２が設置されるプライベートネットワーク１２に対して割り当てられているグローバルＩＰアドレス（グローバルＩＰ取得装置１５で取得しているグローバルＩＰアドレス）を、通信端末２１に通知するための動作を示している。尚、以下の説明では、メールサーバ２０との間でインターネットメールを送受信するために必要な機能は、予め設定されているものとし、また、通信端末２２自身のインターネットメールアドレスと、通信端末２１のインターネットメールアドレスは、予め設定されているものとする。
【００２８】
図３において、ステップ４０でメール作成手段３３は、制御部３１からの指示に基づき、メールアドレス記憶部３２から自分自身（通信端末２２）のインターネットメールアドレスを読み出す。ステップ４１で、メール作成手段３３は、自分自身宛のインターネットメールを作成する。ここで作成するメールは、自分自身が作成したメールであることを容易に特定することを可能とするために、特定の文字列をメールのタイトルとする。さらに、このメールのタイトルは、同タイトルのメールが複数存在することを避けるため、タイトル文字に発信時あるいは作成時の日付や時刻の情報を組み合わせた文字列などにしてもよし、タイトル文字に所定の規則で変化する数字等を組み合わせた文字列などにしてもよい。
【００２９】
次に、ステップ４２で、作成したメールをメール発信手段３４により、グローバルネットワーク１０上に配置されたメールサーバ２０に向けて発信する。一定時間後にステップ４３で、制御部３１はメール受信手段３５にてメールサーバ２０からメールを受信する。ステップ４４で、受信メール選別手段３６が、先のメールのタイトルなどの情報から、自分自身が作成した最新のメールを選別する。ステップ４５で、ＩＰアドレス抽出手段３７は、選別されたメールのヘッダ情報を解析する。
【００３０】
ＩＰアドレス抽出手段３７において、受信したインターネットメールのヘッダ情報には、レシーブ項（Ｒｅｃｅｉｖｅｄ項）が存在し、このＲｅｃｅｉｖｅｄ項にメールを最初に発信した端末から最後に受信した端末まで、メールが通過した通信機器の名称やＩＰアドレス情報が古い順に書き加えられていくため、最も古いＲｅｃｅｉｖｅｄ項に記述されている通信機器の名称やＩＰアドレス情報が即ちメールを最初に発信した通信端末の情報となる。また、メールサーバ２０がメールを受信すると、メールサーバ２０と同じＩＰ空間上の通信機器から発信されたメールとして認識し、その発信元の名称やＩＰアドレス情報を記述していく。従ってグローバルネットワーク１０に設置されたメールサーバ２０が通信端末２２からの該メールを受信したとき、メールサーバ２０が該メールのＲｅｃｅｉｖｅｄ項に記述する発信元のＩＰアドレス情報は、プライベートネットワーク１２で通信端末２２へ割り当てられているプライベートＩＰアドレスではなく、ルータ１６のＮＡＴ機能により変換されたグローバルＩＰアドレス取得機器１５が取得しているグローバルＩＰアドレスとなる。よって、ＩＰアドレス抽出手段３７において、グローバルネットワーク１０から通信端末２２を特定するためのグローバルＩＰアドレスを取得することができる。
【００３１】
次に、ステップ４６において、メール作成手段３３は、メールアドレス記憶部３２から、抽出したグローバルＩＰアドレスを通知する通信端末２１のインターネットメールアドレスを読み出し、ステップ４７において、ＩＰアドレス抽出手段３７で抽出したグローバルＩＰアドレスを情報として含むメールを生成する。そして、ステップ４８で、メール発信手段３４は、通信端末２１宛にメールを送信する。
【００３２】
グローバルネットワーク１０に設置あるいは接続可能な通信端末２１は、通信端末２２からのインターネットメールを受信することで、通信端末２２が配置されているプライベートネットワーク１２に割り当てられたグローバルＩＰアドレスを知ることができ、このグローバルＩＰアドレスにより、通信端末２２との間で容易に通信を開始することができる。
【００３３】
例えば、通信端末２２が、ネットワーク通信機能を有する記録再生装置であり、通信端末２１が、ネットワーク通信機能を有する携帯端末である場合、本実施の形態によるグローバルＩＰアドレスの通知により、ＴＣＰ／ＩＰを用いて通信端末２１から通信端末２２を制御することが可能となる。
【００３４】
以上のように本実施の形態１によれば、プライベートネットワーク１２上に設置された通信端末２２にメール発信手段３４とメール受信手段３５とメールのヘッダー情報からＩＰアドレス情報を抽出するＩＰアドレス抽出手段３７を設け、通信端末２２とメールサーバ２０との通信から通信端末２２のグローバルＩＰアドレス情報を特定し、グローバルネットワーク１０上に設置された通信端末２１へ通知することにより、汎用的なインターネットメールサーバとインターネットメールの活用のみでグローバルネットワーク１０上に設置された通信端末２１からプライベートネットワーク１２上に設置された通信端末２２へ通信を行うときに不可欠である通信端末２２のグローバルＩＰアドレスを、通信端末２１へ通知することができ、容易にグローバルネットワーク１０に設置された通信端末２１からプライベートネットワーク１２に設置された通信端末２２へ通信を開始することができる。
【００３５】
なお、上記実施の形態では、図３に示したフローチャートの実施のタイミングを規定していないが、通信端末２２のグローバルＩＰアドレス抽出を一定時間毎に繰り返し実施し、前回抽出した結果と今回抽出した結果が異なる場合のみ、通信端末２１に通知するよう制御部３１にて制御することで、通信端末２２から通信端末２１への不要な通知メールを発生させず、同時に常に通信端末２２の最新のグローバルＩＰアドレスを通信端末２１に通知することができる。
【００３６】
また、上記の説明では、特に言及しなかったが、本実施の形態による通信端末は、本発明の第６〜第８の発明によるグローバルＩＰアドレス特定方法の具現化の一例でもある。従って、本発明のグローバルＩＰアドレス特定方法は、ソフトウェアにより実現可能であり、そのソフトウェアは、所定の記録媒体に記録されて配布されても良いし、所定の通信手段によって配信されても良いし、予め機器のメモリに組み込まれていても良い。
【００３７】
【発明の効果】
以上のように本発明は、プライベートＩＰアドレス空間のネットワークに設置された通信端末であって、メール発信手段とメール受信手段と受信するインターネットメールのヘッダー情報からＩＰアドレス情報を抽出する手段とを設け、さらに、通信端末とプライベートＩＰアドレス空間外のインターネットメールサーバと通信を行うことで、プライベートＩＰアドレス空間外に設置された所定の端末から通信端末へ通信する場合に不可欠である、プライベートＩＰ空間に設定されたグローバルＩＰアドレスを汎用的な手段のみで特定することができ、また、そのグローバルＩＰアドレスをプライベートＩＰアドレス空間外に設置された所定の端末に汎用的な手段のみで通知することができ、プライベートＩＰアドレス空間外に設置された所望の端末からプライベートＩＰアドレス空間に設置された通信端末への通信を容易に開始することができるという優れた効果が得られる。
【図面の簡単な説明】
【図１】本発明の実施の形態１による通信端末を含むネットワーク環境の構成を示す図
【図２】同通信端末の構成を示すブロック図
【図３】同通信端末の動作を示すフローチャート
【図４】従来の通信端末をネットワーク環境の構成を示す図
【符号の説明】
１０　グローバルネットワーク
１２　プライベートネットワーク
１４　インターネットサービスプロバイダ
１５　グローバルＩＰアドレス取得機器
１６　ルータ
１７　プライベートネットワークに設置された通信端末
２０　メールサーバ
２１　グローバルネットワークに設置された通信端末
２２　本発明によるグローバルネットワークに設置された通信端末
３１　制御部
３２　メールアドレス記憶部
３３　メール作成手段
３４　メール発信手段
３５　メール受信手段
３６　受信メール選別手段
３７　ＩＰアドレス抽出手段
【図１】
2004015685.tif 000003
【図２】
2004015685.tif 000004
【図３】
2004015685.tif 000005
【図４】
2004015685.tif 000006